(57)【要約】【課題】堆積した落石の除去作業をより安全かつ簡単に行うこと。【解決手段】落石防護装置（１）は、落石（Ｓ）を捕捉する捕捉部（２）と、捕捉部を支持する支持部（３）と、捕捉部及び支持部とは別個に設けられた係止部（４）と、捕捉部を敷設した際に、捕捉部又は支持部の少なくとも一方と係止部とを連結する連結部（５）と、を備える。【選択図】図２
2018016952.tif 000002
【特許請求の範囲】
【請求項１】
落石を捕捉する捕捉部と、
前記捕捉部を支持する支持部と、
前記捕捉部及び前記支持部とは別個に設けられた係止部と、
前記捕捉部を敷設した際に、前記捕捉部又は前記支持部の少なくとも一方と前記係止部とを連結する連結部と、
を備えることを特徴とする落石防護装置。
【請求項２】
前記連結部は、前記支持部の下端と前記係止部とを連結することを特徴とする請求項１に記載の落石防護装置。
【請求項３】
前記支持部は、前記捕捉部の縦方向に延在する縦材と、前記捕捉部の横方向に延在する横材とを備え、
前記係止部は、最も下側にある横材に前記連結部によって連結されていることを特徴とする請求項１又は２に記載の落石防護装置。
【請求項４】
前記係止部は、最も下側にある横材に沿って配置されていることを特徴とする請求項３に記載の落石防護装置。
【請求項５】
前記係止部は、最も下側にある横材の下方に設けられていることを特徴とする請求項３又は４に記載の落石防護装置。
【請求項６】
前記連結部は複数設けられており、
前記縦材と前記横材とが重なる位置に設けられ、当該位置で両者を保持する保持部を複数備え、
前記連結部は、隣接する前記保持部間で前記支持部と前記係止部とを連結していることを特徴とする請求項３から５までのいずれか一項に記載の落石防護装置。
【請求項７】
前記連結部は複数設けられており、
前記縦材と前記横材とが重なる位置に設けられ、当該位置で両者を保持する保持部を複数備え、
前記連結部は、前記保持部に設けられていることを特徴とする請求項３から５までのいずれか一項に記載の落石防護装置。
【請求項８】
前記連結部は、前記支持部と前記係止部との連結を一操作で解除することを特徴とする請求項１から７までのいずれか一項に記載の落石防護装置。
【請求項９】
前記支持部又は前記捕捉部と、前記係止部又は前記連結部とを着脱自在に連結する予備連結部を備えることを特徴とする請求項１から８までのいずれか一項に記載の落石防護装置。
【請求項１０】
前記連結部は、前記支持部及び前記係止部の少なくとも一方に対して移動自在に設けられていることを特徴とする請求項１から９までのいずれか一項に記載の落石防護装置。
【請求項１１】
前記連結部は、
前記捕捉部又は前記支持部に固定された第１の連結片と、
前記係止部に固定された第２の連結片と、
前記第１の連結片と前記第２の連結片とを連結する第３の連結片と、を備え、
前記第３の連結片は、前記係止部の延在方向に移動自在とされ、当該移動によって前記第１の連結片と前記第２の連結片との連結を解除する連結解除部であることを特徴とする請求項１から１０までのいずれか一項に記載の落石防護装置。
【請求項１２】
前記第１の連結片及び前記第２の連結片は環状に形成されており、
前記第３の連結片は、紐状に形成されていることを特徴とする請求項１１に記載の落石防護装置。
【請求項１３】
請求項１から１２までのいずれか一項に記載の落石防護装置に堆積した落石除去方法であって、
前記連結部による前記支持部と前記係止部との連結を解除し、
連結を解除した箇所の近傍に堆積している落石を除去することを特徴とする落石除去方法。
【請求項１４】
前記支持部と前記係止部は複数の箇所において前記連結部によって連結されており、
前記連結部の周囲に堆積している落石の量が少ない箇所から順次連結を解除して落石を除去することを特徴とする請求項１３に記載の落石除去方法。
【請求項１５】
前記支持部と前記係止部は複数の箇所において前記連結部によって連結されており、
落石が堆積している領域の一方の端部から他方の端部に向けて順次連結を解除して落石を除去することを特徴とする請求項１３に記載の落石除去方法。
【発明の詳細な説明】
【技術分野】
【０００１】
本発明は、落石防護装置及び落石除去方法に関する。
【背景技術】
【０００２】
道路脇や山腹斜面等に設置され、道路上への落石を防止する落石防護装置が知られている（例えば、特許文献１参照）。
図７に示すように、落石防護装置１００は、落石Ｓを捕捉する捕捉体１１０と、この捕捉体１１０を支持する支持体１２０とを備えている。捕捉体１１０は、例えば、外力の作用により変形する金網から形成されている。支持体１２０は、例えば、格子状に組まれたワイヤーロープによって形成されており、ワイヤーロープの端部がアンカー１３０によって地盤に固定されている。
図８に示すように、落石Ｓは捕捉体１１０に衝突し、そのエネルギーが捕捉体１１０の変形により吸収されて、落石Ｓが道路上に飛び出すことを未然に防いでいる。捕捉体１１０と地盤Ｇとの間に堆積した落石Ｓは、捕捉体１１０が道路上に張り出す前に取り除かれる。落石Ｓを取り除く際には、地盤Ｇに固定されているアンカー１３０を外し、捕捉体１１０を捲ることにより行う。
【先行技術文献】
【特許文献】
【０００３】
【特許文献１】特開２０１２−０４１７２０号公報
【発明の概要】
【発明が解決しようとする課題】
【０００４】
しかし、堆積した落石の重量は、捕捉体や支持体の下方にかかるため、捕捉した落石よりも下方にある捕捉体や支持体には大きな引張力がかかり、落石を取り除く際に、アンカーを取り外して捕捉体を捲ることが困難である。また、落石の堆積により道路側に張り出した捕捉体が落石の重量で下に下がって捕捉体又は支持体の下端、アンカーを覆い隠すこともあり、アンカーを取り外して捕捉体を捲ることが困難である。
【０００５】
そこで、本発明は、上記課題に鑑みてなされたものであり、堆積した落石の除去作業をより安全かつ簡単に行うことができる落石防護装置及び落石除去方法を提供することを目的とする。
【課題を解決するための手段】
【０００６】
上記課題を解決するため、本発明は落石防護装置であって、落石を捕捉する捕捉部と、前記捕捉部を支持する支持部と、前記捕捉部及び前記支持部とは別個に設けられた係止部と、前記捕捉部を敷設した際に、前記捕捉部又は前記支持部の少なくとも一方と前記係止部とを連結する連結部と、を備えることを特徴とする。
【０００７】
また、前記連結部は、前記支持部の下端と前記係止部とを連結することが好ましい。
【０００８】
また、前記支持部は、前記捕捉部の縦方向に延在する縦材と、前記捕捉部の横方向に延在する横材とを備え、前記係止部は、最も下側にある横材に前記連結部によって連結されていることが好ましい。
【０００９】
また、前記係止部は、最も下側にある横材に沿って配置されていることが好ましい。
【００１０】
また、前記係止部は、最も下側にある横材の下方に設けられていることが好ましい。
【００１１】
また、前記連結部は複数設けられており、前記縦材と前記横材とが重なる位置に設けられ、当該位置で両者を保持する保持部を複数備え、前記連結部は、隣接する前記保持部間で前記支持部と前記係止部とを連結していることが好ましい。
【００１２】
また、前記連結部は複数設けられており、前記縦材と前記横材とが重なる位置に設けられ、当該位置で両者を保持する保持部を複数備え、前記連結部は、前記保持部に設けられていることが好ましい。
【００１３】
また、前記連結部は、前記支持部と前記係止部との連結を一操作で解除することが好ましい。
【００１４】
また、前記支持部又は前記捕捉部と、前記係止部又は前記連結部とを着脱自在に連結する予備連結部を備えることが好ましい。
【００１５】
また、前記連結部は、前記支持部及び前記係止部の少なくとも一方に対して移動自在に設けられていることが好ましい。
【００１６】
また、前記連結部は、前記捕捉部又は前記支持部に固定された第１の連結片と、前記係止部に固定された第２の連結片と、前記第１の連結片と前記第２の連結片とを連結する第３の連結片と、を備え、前記第３の連結片は、前記係止部の延在方向に移動自在とされ、当該移動によって前記第１の連結片と前記第２の連結片との連結を解除する連結解除部であることが好ましい。
【００１７】
また、前記第１の連結片及び前記第２の連結片は環状に形成されており、前記第３の連結片は、紐状に形成されていることが好ましい。
【００１８】
本発明は、上記の落石防護装置に堆積した落石除去方法であって、前記連結部による前記支持部と前記係止部との連結を解除し、連結を解除した箇所の近傍に堆積している落石を除去することを特徴とする。
【００１９】
また、前記支持部と前記係止部は複数の箇所において前記連結部によって連結されており、前記連結部の周囲に堆積している落石の量が少ない箇所から順次連結を解除して落石を除去することが好ましい。
【００２０】
また、前記支持部と前記係止部は複数の箇所において前記連結部によって連結されており、落石が堆積している領域の一方の端部から他方の端部に向けて順次連結を解除して落石を除去することが好ましい。
【発明の効果】
【００２１】
本発明によれば、堆積した落石の除去作業をより安全かつ簡単に行うことができる。
【図面の簡単な説明】
【００２２】
【図１】地盤に設けられた落石防護装置の斜視図である。
【図２】落石防護装置の正面図である。
【図３】落石除去方法を説明する図である。
【図４】落石防護装置の他の例を示す図である。
【図５】落石防護装置の他の例を示す図である。
【図６】図５における支持部と係止部の連結解除の機構について説明する図である。
【図７】従来の落石防護装置の正面図である。
【図８】従来の落石防護装置の側面図である。
【発明を実施するための形態】
【００２３】
本発明の好ましい実施の形態について、図面を参照しながら説明する。なお、以下に示す実施の形態は一つの例示であり、本発明の範囲において、種々の形態をとり得る。
【００２４】
＜落石防護装置＞
図１は、地盤Ｇに取り付けられた落石防護装置１を示す斜視図である。図２は、落石防護装置の正面図である。
図１、図２に示すように、落石防護装置１は、道路脇や山腹斜面等の地盤Ｇに設置され、道路上への落石Ｓを防ぐものである。
落石防護装置１は、捕捉部２と、支持部３と、係止部４と、連結部５とを備えている。
【００２５】
（捕捉部）
捕捉部２は、落石Ｓが発生した際にその落石Ｓを捕捉する。捕捉部２は、例えば、鋼製のワイヤーロープを格子状に編んだ網体として形成されており、落石Ｓの衝撃エネルギーを網体の変形によって吸収し、道路上への落石Ｓの崩落を防止する。捕捉部２は、平面視略矩形状に形成されており、捕捉部２にはその外縁及び内側にわたって支持部３が張り巡らされている。
【００２６】
（支持部）
支持部３は、捕捉部２が平面視矩形状の形を維持するよう捕捉部２を支持する。支持部３は、例えば、鋼製のワイヤーロープで形成されている。
支持部３は、地盤Ｇに敷設される捕捉部２の縦方向に沿って延在する縦材３１と、捕捉部２の横方向に沿って延在する横材３２とを備えている。縦材３１と横材３２は、互いに直交するように設けられており、その交差位置で保持部６によって連結されている。ここで、保持部６は、ワイヤークリップを用いることが多いが、ワイヤークリップに限らず、鋼線や結束バンド等で縦材３１と横材３２とを結束してもよい。
一部の横材３２は、その両端部が捕捉部２の両側部から外側に向けて延在しており、両端部はアンカー７によって地盤Ｇに固定されている。なお、これらの横材３２の両端部は、地盤Ｇに固定される場合に限らず、現場に打設されたコンクリート、地盤Ｇに設置された鋼材（例えば、Ｈ形鋼、角形鋼管、丸形鋼管など）に固定されていてもよい。
最も上方に位置する横材３２は、地盤Ｇに立設された支柱８に取り付けられている。ここで、支柱８は、想定される落石Ｓの外径よりも長くなるように形成されており、支柱８の先端に横材３２が取り付けられている。すなわち、捕捉部２の上端においては、地盤Ｇと捕捉部２との間に落石Ｓを導く空間が形成されている。このような落石防護装置１を一般にポケット式落石防護装置という。
【００２７】
（係止部）
係止部４は、捕捉部２及び支持部３とは別個に地盤Ｇに設けられている。係止部４は、例えば、鋼製のワイヤーロープで形成されている。係止部４は、その両端部がアンカー７によって地盤Ｇに固定されている。係止部４は、支持部３のうち最も下側にある横材３２ａの下方において、当該横材３２ａの延在方向に沿うように設けられている。
係止部４は、支持部３とは独立して設けられており、連結部５を介してのみ支持部３に連結されている。
なお、係止部４は、ワイヤーロープに限らず、所定間隔で地盤Ｇに設けられたアンカーや杭等で構築してもよい。
【００２８】
（連結部）
連結部５は、支持部３の下端、すなわち、最も下側の横材３２ａと係止部４とを連結する。連結部５は、例えば、Ｕ字金具、シャックル等から構成されている。連結部５は、横材３２ａのワイヤーロープと係止部４のワイヤーロープとを係止することにより、連結部５を介して横材３２ａと係止部４とを連結している。
連結部５は、隣接する縦材３１の間、すなわち、隣接する保持部６の間に複数箇所にわたって設けられ、横材３２ａと係止部４とを連結している。
連結部５は、横材３２ａ及び係止部４に対してその延在方向に沿って移動自在に設けられている。これにより、横材３２ａと係止部４は、互いに対して移動自在とされ、連結部５による連結位置は固定されていない。
なお、連結部５は、上記構成に限られるものではなく、例えば、横材３２ａと係止部４とを連結するバネであってもよいし、横材３２ａのワイヤーロープに設けられたピストンと、係止部４のワイヤーロープに設けられ、ピストンを移動自在に収容するシリンダとによって構成してもよい。さらには、連結部５は、ネジ構造により締結・解除できるものに限らず、ワンタッチで締結・解除できるものであれば作業性が向上するので好ましい。
【００２９】
＜落石除去方法＞
落石防護装置１の捕捉部２と地盤Ｇとの間に堆積した落石の除去方法について説明する。図３は、落石除去方法を説明する図である。
図３に示すような状態で落石Ｓが捕捉部２と地盤Ｇとの間に堆積した場合、堆積した落石Ｓを除去する際には、堆積している落石Ｓの量が少ない箇所から順次連結部５を取り外して支持部３の横材３２ａと係止部４との連結を解除し、落石Ｓを除去する。
具体的には、最初に、落石Ｓの堆積量が最も少ない領域の連結部５ａを取り外し、支持部３の横材３２ａと係止部４との連結を解除し、捕捉部２の下端部を上方に捲り上げて堆積した落石Ｓを除去する（図３（ａ））。
このとき、取り外した連結部５ａの上方に堆積した落石Ｓだけでなく、周囲に堆積した落石Ｓも除去した空間に流れ込んでくるので、そのような落石Ｓの除去も併せて行う。すると、連結部５ａに隣接する連結部５ｂの周囲の落石Ｓの堆積量が最も少なくなっているので、連結部５ｂを取り外し、支持部３の横材３２ａと係止部４との連結を解除し、捕捉部２の下端部を上方に捲り上げて堆積した落石Ｓを除去する（図３（ｂ））。
このとき、取り外した連結部５ｂの上方に堆積した落石Ｓだけでなく、周囲に堆積した落石Ｓも除去した空間に流れ込んでくるので、そのような落石Ｓの除去も併せて行う。すると、連結部５ｂに隣接する連結部５ｃの周囲の落石Ｓの堆積量が最も少なくなっているので、連結部５ｃを取り外し、支持部３の横材３２ａと係止部４との連結を解除し、捕捉部２の下端部を上方に捲り上げて堆積した落石Ｓを除去する（図３（ｃ））。
このとき、取り外した連結部５ｃの上方に堆積した落石Ｓだけでなく、周囲に堆積した落石Ｓも除去した空間に流れ込んでくるので、そのような落石Ｓの除去も併せて行う。すると、連結部５ｃに隣接する連結部５ｄの周囲の落石Ｓの堆積量が最も少なくなっているので、連結部５ｄを取り外し、支持部３の横材３２ａと係止部４との連結を解除し、捕捉部２の下端部を上方に捲り上げて堆積した落石Ｓを除去する（図３（ｄ））。
【００３０】
＜作用＞
落石Ｓが発生すると、山や崖の傾斜面を転がる落石Ｓは、落石防護装置１の捕捉部２と地盤Ｇとの間に形成された空間から中に入り、その衝突エネルギーは捕捉部２の変形によって吸収され、捕捉部２によって捕捉される。落石Ｓの堆積により、網状の捕捉部２は外側に張り出し、張り出している捕捉部２の周囲の支持部３には大きな張力がかかっている。特に、支持部３における最も下側の横材３２ａにかかる張力は大きく、張り出した落石が捕捉部２と共に下方に垂れて横材３２ａを覆ってしまい、落石を除去する際に、捕捉部２を捲るためにアンカー７を地盤Ｇから抜くことが困難である。
しかし、上記の構成を有する落石防護装置１によれば、横材３２ａと係止部４とを連結する連結部５を外すだけで横材３２ａを従来よりも安全かつ簡単に解放することができるので、捕捉部２の下端を捲り上げることができ、堆積した落石を簡単に除去することができる。
また、捕捉部２と地盤Ｇとの間に堆積した落石Ｓを除去する際には、堆積している落石Ｓの量が少ない箇所から順次連結を解除していくので、連結部５による連結の解除作業を簡単に行うことができ、作業効率を向上させることができる。
また、支持部３と係止部４は、連結部５によって複数箇所で連結されているため、連結部５を段階的に取り外していくことにより、支持部３にかかる張力を徐々に解放しながら落石Ｓを除去することができる。
【００３１】
＜その他＞
なお、本発明は、上記の実施の形態に限られるものではなく、本発明の範囲を超えない範囲で適宜変更が可能である。例えば、係止部や連結部の形態は、上記の機能を発揮するものであれば自由に変更可能である。また、連結部５の数も自由に変更可能である。
また、図４に示すように、支持部３の横材３２ａと係止部４とを連結する連結部５に加えて、支持部３の横材３２ａと係止部４とが落石Ｓを除去可能な間隔まで離間可能に形成された長さの予備連結部９（例えば、ワイヤーロープ）で連結されていてもよい。これにより、落石Ｓの重量で支持部３に大きな張力がかかっていた場合であっても、連結部５を取り外した際に、張力が解放された反動で支持部３が飛び跳ねるようなことを防止できる。
【００３２】
また、図５に示すように、支持部３の横材３２ａ及び係止部４とは独立した別個の連結解除部１０を横材３２ａ及び係止部４に沿って配置し、この連結解除部１０を横材３２ａ及び係止部４にそれぞれ連結してもよい。
具体的には、連結解除部１０は、ワイヤーロープから形成されており、横材３２ａと係止部４との間に配置されており、その延在方向が横材３２ａ及び係止部４に沿っている。連結解除部１０の両端部は、それぞれ連結部５を介して係止部４に連結されている。
横材３２ａには、隣接する保持部６間において、環状部材１２が固定されている。横材３２ａは、複数の環状部材１２に挿通されており、その内周縁に溶接等によって固定されている。
係止部４には、環状部材１２に対向する位置において、環状部材１３が固定されている。係止部４は、複数の環状部材１３に挿通されており、その内周縁に溶接等によって固定されている。環状部材１３の内周縁には、リング１４が固定されており、このリング１４に連結解除部１０が挿通されている。連結解除部１０は、横材３２ａ及び係止部４の延在方向に移動自在とされ、当該移動によって環状部材１２と環状部材１３との連結を解除することができる。係止部４は、各環状部材１３を挟み込むようにアンカー７によって地盤に固定されている。
図６（ａ）に示すように、環状部材１２の一部と環状部材１３のリング１４は重ねられており、この重なった部分に連結解除部１０が挿通されている。すなわち、環状部材１２（第１の連結片）と環状部材１３（第２の連結片）と連結解除部１０（第３の連結片）とで連結部を構成しつつ、連結解除部１０は、横材３２ａと係止部４との連結を解除することができる。
ここで、連結解除部１０と係止部４とを連結している連結部５を取り外し、連結解除部１０をその延在方向に沿って引っ張ると、連結解除部１０は、環状部材１２，１３から離脱し、その結果、図６（ｂ）に示すように、環状部材１２と環状部材１３とが分離する。
これにより、連結解除部１０を落石が堆積している場所から離れた側方の位置で引っ張るだけで、横材３２ａを簡単に解放することができるので、落石が飛び出すおそれがある捕捉部２の下端で連結部５による連結の解除作業をする必要がなくなり、堆積した落石を従来よりも安全かつ簡単に除去することができる。
【００３３】
また、連結部５は、隣接する保持部６の間（隣接する縦材３１の間）に設けられているが、保持部６に着脱自在に設けられていてもよいし、保持部６と一体に形成されていてもよい。
また、落石除去方法において、捕捉部２全域にわたって堆積している落石Ｓの量がほぼ同じである場合には、落石Ｓが堆積している領域の一方の端部から他方の端部に向けて順次連結を解除して落石Ｓを除去してもよい。
【符号の説明】
【００３４】
１  落石防護装置
２  捕捉部
３  支持部
４  係止部
５  連結部
５ａ  連結部
５ｂ  連結部
５ｃ  連結部
５ｄ  連結部
６  保持部
７  アンカー
８  支柱
９  予備連結部
１０  連結解除部
１２  環状部材
１３  環状部材
３１  縦材
３２  横材
３２ａ  最も下側の横材
Ｇ  地盤
Ｓ  落石
【図１】
2018016952.tif 000003
【図２】
2018016952.tif 000004
【図３】
2018016952.tif 000005
【図４】
2018016952.tif 000006
【図５】
2018016952.tif 000007
【図６】
2018016952.tif 000008
【図７】
2018016952.tif 000009
【図８】
2018016952.tif 000010